(57)【特許請求の範囲】
【請求項１】
監視対象の状態を検出するセンサーからのセンサー情報を受け取って、処理した結果を外部装置に対して通報する通報装置を備えたセンサー情報通報システムにおいて、
前記センサーは、ＤＴＭＦ（Dual  Tone  Multi  Frequency）信号の周波数音を出力するスピーカーを備え、当該センサーが検出したセンサー情報に対応するＤＴＭＦ信号の周波数音を生成して、前記スピーカーから出力し、
前記通報装置は、当該通報装置に有線回線で接続したインターホンのマイクによって、前記センサーからのＤＴＭＦ信号の周波数音を受信して、当該通報装置に前記有線回線を介して転送させ、受け取ったＤＴＭＦ信号の周波数音に対応するセンサー情報を処理した結果を前記外部装置に対して送信し、
前記センサーは、前記センサー情報を、前記ＤＴＭＦ信号の周波数音と、前記周波数音の継続時間との組み合わせにより表す
ことを特徴とするセンサー情報通報システム。
【請求項２】
前記通報装置は、前記センサーのセンサー情報の転送指示を前記センサーへ指示する際に、該転送指示に対応するＤＴＭＦ信号の周波数音を生成して、当該通報装置に有線回線で接続した前記インターホンのスピーカーから出力し、
前記センサーは、ＤＴＭＦ信号の周波数音を入力するマイクを備え、前記インターホンからのＤＴＭＦ信号の周波数音を受信して、受信したＤＴＭＦ信号の周波数音に対応する転送指示に基づいてセンサー情報を検出して、検出したセンサー情報に対応するＤＴＭＦ信号の周波数音を生成して、前記スピーカーから出力する
ことを特徴とする請求項１に記載のセンサー情報通報システム。
【請求項３】
前記センサーと前記通報装置に有線回線で接続した前記インターホンとの間で送受信する信号音として、ＤＴＭＦ信号の周波数音或いはあらかじめ定めた周波数帯の無線信号の周波数音を、あらかじめ定めた一定時間連続する連続音、および／または、あらかじめ定めた一定時間の間において断続する断続音として用いることを特徴とする請求項１ないし２のいずれかに記載のセンサー情報通報システム。
【請求項４】
監視対象の状態を検出するセンサーからのセンサー情報を受け取って、処理した結果を外部装置に対して通報する通報装置を備えたセンサー情報通報システムにおいて、
前記センサーにＤＴＭＦ（Dual  Tone  Multi  Frequency）信号の周波数音を出力するスピーカーを備え、前記センサーのセンサー情報を前記スピーカーからのＤＴＭＦ信号の周波数音として出力し、
前記通報装置は、当該通報装置にＤＴＭＦ信号の周波数音を入力するマイクを備え、該マイクによって前記センサーからのＤＴＭＦ信号の周波数音を受け取って、受け取ったＤＴＭＦ信号の周波数音に対応するセンサー情報を処理した結果を前記外部装置に対して送信し、
前記センサーは、前記センサー情報を、前記ＤＴＭＦ信号の周波数音と、前記周波数音の継続時間との組み合わせにより表す
ことを特徴とするセンサー情報通報システム。
【請求項５】
前記通報装置は、当該通報装置にＤＴＭＦ信号の周波数音を出力するスピーカーを備え、前記センサーのセンサー情報の転送指示を前記センサーへ指示する際に、該転送指示に対応するＤＴＭＦ信号の周波数音を生成して、当該通報装置に備えた前記スピーカーから出力し、
前記センサーは、ＤＴＭＦ信号の周波数音を入力するマイクを備え、前記通報装置からのＤＴＭＦ信号の周波数音を受信して、受信したＤＴＭＦ信号の周波数音に対応する転送指示に基づいてセンサー情報を検出して、検出したセンサー情報に対応するＤＴＭＦ信号の周波数音を生成して、前記スピーカーから出力する
ことを特徴とする請求項４に記載のセンサー情報通報システム。
【請求項６】
前記センサーと前記通報装置との間で送受信する信号音として、ＤＴＭＦ信号の周波数音或いはあらかじめ定めた周波数帯の無線信号の周波数音を、あらかじめ定めた一定時間連続する連続音、および／または、あらかじめ定めた一定時間の間において断続する断続音として用いることを特徴とする請求項４ないし５のいずれかに記載のセンサー情報通報システム。
【請求項７】
前記センサーは、当該センサーに備えた前記マイクおよび／またはスピーカーを駆動して前記信号音を入出力させるための内部電源をさらに備えていることを特徴とする請求項１ないし６のいずれかに記載のセンサー情報通報システム。
【請求項８】
請求項１ないし７のいずれかに記載のセンサー情報通報システムを、エレベータの運用状態を監視する監視システムとして実施することを特徴とするエレベータ用センサー情報通報システム。
【請求項９】
監視対象の状態を検出するセンサーからのセンサー情報を通報装置により受け取って、処理した結果を外部装置に対して通報するセンサー情報通報方法において、
前記センサーから、当該センサーが検出したセンサー情報に対応するＤＴＭＦ信号の周波数音を生成して無線化情報として出力し、前記センサーからのＤＴＭＦ信号の周波数音を受信した前記通報装置は、受け取ったＤＴＭＦ信号の周波数音に対応するセンサー情報を処理した結果を前記外部装置に対して送信し、前記センサーは、前記センサー情報を、前記ＤＴＭＦ信号の周波数音と、前記周波数音の継続時間との組み合わせにより表すことを特徴とするセンサー情報通報方法。
【請求項１０】
前記通報装置は、前記センサーのセンサー情報の転送指示を前記センサーへ指示する際に、該転送指示に対応するＤＴＭＦ信号の周波数音を生成して無線化情報として出力し、前記センサーは、前記通報装置からのＤＴＭＦ信号の周波数音を受信して、受信したＤＴＭＦ信号の周波数音に対応する転送指示に基づいてセンサー情報を検出して、検出したセンサー情報に対応するＤＴＭＦ信号の周波数音を生成して無線化情報として出力することを特徴とする請求項９に記載のセンサー情報通報方法。
【発明の詳細な説明】
【技術分野】
【０００１】
本発明は、センサー情報通報システム、エレベータ用センサー情報通報システム、センサー情報通報方法に関する。
【背景技術】
【０００２】
各種のセンサー情報を外部装置に対して通報するセンサー情報通報システムについては、従来技術の場合、センシング動作を行うセンサーと外部装置への通報を行う通報装置との間が有線回線で接続された構成からなっていた。例えば、特許文献１の特開２００５−１４５６８６号公報「エレベータの非常連絡装置」のようなエレベータ用の通報装置の従来の構成について、図４を参照して説明する。図４は、従来のエレベータ用センサー情報通報システムのシステム構成を示すシステム構成図である。
【０００３】
図４において、各種センサー(センサー１Ａ、センサー２Ａ、センサー３Ａ、センサー４Ａ)は、通報装置１１Ａと有線回線３１，３２，３３，３４にて接続されており、接点センサーであれば、検出したＯＮ／ＯＦＦ情報を、アナログ値センサーであれば、アナログ値に関する情報を、有線回線を介して、通報装置１１Ａが読み取ることによって、対応する各種処理を実行していた。処理した結果は、通報装置１１Ａから、公衆網１３を介して、保守センター１２へ通報されることになる。
【特許文献１】特開２００５−１４５６８６号公報（第３頁）
【発明の開示】
【発明が解決しようとする課題】
【０００４】
しかしながら、従来のセンサー情報通報システムにおいては、例えば、図４に示すような従来の通報装置１１Ａのセンサーにおいては、センサーと通報装置１１Ａとの間を有線回線３１，３２，３３，３４で接続しているために、次のような課題がある。
【０００５】
第１の課題は、保守作業者が各種センサーを設置しようとする場合、配線スペースを確保できない場合が生じることにある。例えば、図４のエレベータ用センサー情報通報システムの場合、エレベータかご２１の昇降等の事由によりエレベータ昇降路２２内のスペースを確保するために、各種センサー(センサー１Ａ、センサー２Ａ、センサー３Ａ、センサー４Ａ)の配線に制限があり、場合によっては、設置することができない箇所が生じてしまう。
【０００６】
第２の課題は、センサーと通報装置との間の作業員の配線作業に危険を伴う場合があるという点にある。例えば、図４のエレベータ用センサー情報通報システムの場合、エレベータ昇降路２２内での各種センサー(センサー１Ａ、センサー２Ａ、センサー３Ａ、センサー４Ａ)の配線作業を実施する際に、保守作業員が転落する危険性があり、建物が高層になるほど、配線作業に危険を伴うことになる。
【０００７】
本発明は、かかる事情に鑑みてなされたものであり、各種センサーと通報装置との間で転送されるセンサー情報をＤＴＭＦ（Dual  Tone  Multi  Frequency）音にて送受信することにより無線化を図ることを可能とし、もって、センサーの配線作業の削減およびセンサーの設置制限の緩和を可能とする仕組みを提供することを、その目的としている。
【０００８】
つまり、各種センサーに内蔵されたスピーカーからセンサー情報をＤＴＭＦ音として出力し、インターホンのマイクにて受信して通報装置へ転送することによって、あるいは、通報装置のマイクにて直接受信することによって、各種センサーから送信されるセンサー情報の無線化を可能とすることを目的としている。例えば、図４のようなエレベータ用センサー情報通報システムの場合、各種センサー(センサー１Ａ、センサー２Ａ、センサー３Ａ、センサー４Ａ)に有線回線３１，３２，３３，３４を接続する代わりに、各種センサーにスピーカーを内蔵し、内蔵されたスピーカーからセンサー情報をエレベータかご２１内のインターホン１５のマイクへ入力し、通報装置１１Ａに転送する、あるいは、通報装置側にもマイクを備え、各種センサーからのセンサー情報を通報装置のマイクへ直接入力するように構成する。
【０００９】
一方、通報装置から各種センサーへのセンサー情報の転送指示は、通報装置からインターホンに転送されて、インターホンのスピーカーからＤＴＭＦ音として、または、通報装置のスピーカーから直接ＤＴＭＦ音として、送信され、各種センサーに内蔵されたマイクにて受信して、要求されたセンサー情報を、内蔵されたスピーカーから送信することによって、各種センサーから送信されるセンサー情報の無線化を可能とすることを目的としている。例えば、図４のエレベータ用センサー情報通報システムの場合、通報装置１１Ａからエレベータかご２１内のインターホン１５に転送されてきた各種センサーへのセンサー情報の転送指示を、エレベータかご２１内のインターホン１５のスピーカーからＤＴＭＦ音として出力して、あるいは、通報装置にスピーカーを備えさせて、通報装置のスピーカーからＤＴＭＦ音として出力して、各種センサーに内蔵されたマイクへ入力する。各種センサーは指示されたセンサー情報を取得し、各種センサーに内蔵されたスピーカーからＤＴＭＦ音として出力し、エレベータかご２１内のインターホン１５のマイクへ入力し、通報装置に転送する、あるいは、通報装置に備えたマイクへ直接入力するようにする。
【００１０】
さらに、各種センサーにバッテリー等の内蔵電源を搭載することにより、スピーカーからのＤＴＭＦ音の出力動作、また、マイクへのＤＴＭＦ音の入力動作についての無線化を可能とする。
【００１１】
前述の課題を解決するため、本発明によるセンサー情報通報システム、エレベータ用センサー情報通報システム、センサー情報通報方法は、次のような特徴的な構成を採用している。
【００１２】
（１）監視対象の状態を検出するセンサーからのセンサー情報を受け取って、処理した結果を外部装置に対して通報する通報装置を備えたセンサー情報通報システムにおいて、前記センサーは、ＤＴＭＦ（Dual  Tone  Multi  Frequency）信号の周波数音を出力するスピーカーを備え、当該センサーが検出したセンサー情報に対応するＤＴＭＦ信号の周波数音を生成して、前記スピーカーから出力し、前記通報装置は、当該通報装置に有線回線で接続したインターホンのマイクによって、前記センサーからのＤＴＭＦ信号の周波数音を受信して、当該通報装置に前記有線回線を介して転送させ、受け取ったＤＴＭＦ信号の周波数音に対応するセンサー情報を処理した結果を前記外部装置に対して送信するセンサー情報通報システム。
【発明の効果】
【００１３】
本発明のセンサー情報通報システム、エレベータ用センサー情報通報システム、センサー情報通報方法によれば、以下のような効果を得ることができる。 
【００１４】
第１の効果は、各種センサーからのセンサー情報、各種センサーへの指示信号を無線化することによって、センサー設置箇所の制限を大幅に削減することができることである。
【００１５】
第２の効果は、保守作業員のセンサーの設置・配線作業が不要になることによって、センサーの設置・配線作業に伴う保守作業員の事故を低減することができることである。
【００１６】
第３の効果は、各種センサーからのセンサー情報、各種センサーへの指示信号を無線化することによって、センサーの設置・配線作業に掛かる保守作業員の作業時間を大幅に短縮することができることである。
【発明を実施するための最良の形態】
【００１７】
以下、本発明によるセンサー情報通報システム、エレベータ用センサー情報通報システム、センサー情報通報方法の好適な実施形態について添付図を参照して説明する。
【００１８】
（本発明の特徴）
本発明の実施形態の説明に先立って、本発明の特徴について、その概要をまず説明する。本発明は、各種センサーからのセンサー情報を処理した処理結果を外部装置に対して通報する通報装置を備えたセンサー情報通報システムに関するものであって、各種センサーに内蔵されたスピーカーからセンサー情報をＤＴＭＦ音（Dual  Tone  Multi  Frequency：可聴周波数帯の高音系、低音系の２周波の組合せ信号からなる周波数音）として出力し、通報装置に有線回線にて接続したインターホンのマイクにより受信して当該通報装置へ転送することによって、あるいは、通報装置のマイクにより直接受信することによって、各種センサーから送信されるセンサー情報の無線化を可能とすることを特徴としている。
【００１９】
一方、通報装置から各種センサーへのセンサー情報の転送指示は、有線回線にて接続したインターホンに転送され、インターホンのスピーカーからＤＴＭＦ音として、または、通報装置のスピーカーから直接ＤＴＭＦ音として、送信され、各種センサーに内蔵されたマイクにて受信して、指示されたセンサー情報を、内蔵されたスピーカーから送信することによって、通報装置またはインターホンから送信される各種センサーへの転送指示、各種センサーから送信されるセンサー情報の双方の無線化を可能とすることを特徴としている。
【００２０】
さらに、ＤＴＭＦ音にてそれぞれ無線化された、センサー情報を送信し、センサー情報の転送指示を受信するために、各種センサーに内蔵されたスピーカー、マイクを動作させるバッテリー等の内蔵電源を各種センサーに搭載することにより、各種センサーの無線化の動作を可能とする。
【００２１】
つまり、本発明は、各種のセンサー情報を収集する接点センサー、アナログ値入力センサー等の各種センサーにＤＴＭＦ（Dual  Tone  Multi  Frequency）音を無線信号として送受信するマイクとスピーカーとを内蔵し、さらに、マイクとスピーカーとによるＤＴＭＦ音の送受信動作を可能とするためのバッテリー等の内蔵電源を各種センサーに搭載することを特徴としている。
【００２２】
さらに、各種センサーと通報装置との間でＤＴＭＦ音を直接送受信する場合に備えて、該通報装置にも、ＤＴＭＦ音を無線信号として送受信するマイクとスピーカーとを備えていることを特徴としている。なお、通報装置は、各種センサー情報からのセンサー情報を処理して、処理結果を外部装置例えば保守センター等へ通報する機能、および、外部装置例えば保守センター等からの指示を受信して、各種センサーへ該指示に応じたセンサー情報の転送を指示するための転送指示をＤＴＭＦ音として直接または有線回線にて接続したインターホンを介して各種センサーへ送信する機能を備えている。
【００２３】
以下の実施形態の説明においては、本発明によるセンサー情報通報システムの一例として、エレベータの運用状態を監視するためのエレベータ用センサー情報通報システムの場合を例にとって、その実施形態について、具体的に説明するが、本発明はかかるエレベータ向けのものに限るものではなく、観測用システムやセキュリティ用の警備システムなど、センサー情報を収集するシステムであれば、如何なる用途のシステムにも広く適用することができることは言うまでもない。
【００２４】
（実施形態の構成）
まず、本発明によるセンサー情報通報システムのシステム構成の一例について、エレベータ用センサー情報通報システムのシステム構成の一例を図１に示す。図１に示すように、本エレベータ用センサー情報通報システムは、エレベータかご２１内やエレベータ昇降路２２内やエレベータ用モーター制御部１４内等に配置された各種センサー（センサー１，センサー２，センサー３，センサー４）と通報装置１１と外部装置である保守センター１２とを基本的な構成要素として少なくとも備えて構成されている。
【００２５】
通報装置１１は、各種センサーからのセンサー情報を処理して、エレベータ監視結果の情報として保守センター１２へ送信したり、保守センター１２からの指示を受け取って該指示に応じたセンサー情報の転送指示を各種センサー側へ送信したりする機能を有しており、図１においては、保守センター１２との間を、アナログ網やＰＨＳ網等からなる公衆網１３を介して接続している場合を示している。しかし、保守センター１２とは公衆網１３ではなく専用網にて接続するようにしても良いし、デジタル網にて接続しても良いし、あるいは、専用回線にて接続するようにしても良い。
【００２６】
また、通報装置１１は、各種センサー（センサー１，センサー２，センサー３，センサー４）からのセンサー情報を受け取ったり、各種センサーへの転送指示を送信したりする際に、通報装置１１と有線回線３５にて接続され、エレベータかご２１内に設置されているインターホン１５を介して送受信する場合を示している。しかし、場合によっては、通報装置１１に、ＤＴＭＦ音を送受信するためのスピーカー、マイクを搭載し、各種センサーとの間で、インターホン１５を介することなく、直接、ＤＴＭＦ音による無線信号を送受信するように構成しても良い。
【００２７】
また、各種センサー（センサー１，センサー２，センサー３，センサー４）には、次のような特徴的な回路が搭載されている。
【００２８】
（１）各種センサーへのスピーカーおよび／またはマイクの搭載
エレベータ用センサー情報通報システムにおける構成要素である接点センサーやアナログ値入力センサー等の各種センサー(センサー１、センサー２、センサー３、センサー４)には、それぞれ、ＤＴＭＦ(Dual  Tone  Multi  Frequency）音の出力用のスピーカーおよび／または入力用のマイクを内蔵している。本実施例においては、スピーカーとマイクとの双方を備えている場合を示しているが、場合によっては、スピーカーのみによって構成されていても良い。
【００２９】
エレベータ昇降路２２内に設置されたセンサー１、エレベータかご２１内に設置されたセンサー２，３、エレベータ用モーター制御部１４内に設置されたセンサー４それぞれのセンサー情報は、内蔵したスピーカーからＤＴＭＦ音として出力され、エレベータかご２１内に設置されたインターホン１５のマイクに入力される。インターホン１５のマイクにて受信されたセンサー情報は、有線回線３５を経由して通報装置１１に転送される。センサー情報を受け取った通報装置１１は、前述のように、各種の処理を行い、その処理結果を、公衆網１３を介して、保守センター１２へ通報する。
【００３０】
なお、図１の構成において、前述のように、例えば、エレベータ設置環境や各種センサーとの間の無線通信環境の如何によっては、通報装置１１にＤＴＭＦ音を入力するマイクを備えるように構成して、エレベータかご２１内のインターホン１５を介することなく、各種センサー(センサー１、センサー２、センサー３、センサー４)からのセンサー情報を、通報装置１１が直接受信するような構成とすることも可能である。
【００３１】
一方、通報装置１１から各種センサー(センサー１、センサー２、センサー３、センサー４)へのセンサー情報の転送指示は、有線回線３５を経由してエレベータかご２１内のインターホンに転送される。インターホン１５は、通報装置１１から転送されてきた各種センサーへのセンサー情報の転送指示を、スピーカーからＤＴＭＦ音として出力して、各種センサー(センサー１、センサー２、センサー３、センサー４)それぞれに内蔵されたマイクへ入力する。転送指示に応じて、各種センサー(センサー１、センサー２、センサー３、センサー４)はセンサー情報を取得し、各種センサーそれぞれに内蔵されたスピーカーからＤＴＭＦ音として出力し、エレベータかご２１内のインターホン１５のマイクへ入力する。インターホン１５のマイクにて受信したセンサー情報は、有線回線３５を経由して通報装置１１に転送される。
【００３２】
なお、図１の構成において、前述のように、通報装置１１にＤＴＭＦ音を出力するスピーカーと入力するマイクとを備えるように構成して、インターホン１５を介することなく、各種センサー(センサー１、センサー２、センサー３、センサー４)への転送指示の送信動作、各種センサーからのセンサー情報の受信動作を、通報装置１１が直接行うような構成とすることも可能である。
【００３３】
（２）各種センサーへのバッテリー等の内蔵電源の搭載
ＤＴＭＦ音にてセンサー情報を送信し、通報装置１１が指示するセンサー情報の転送指示をＤＴＭＦ音にて受信するために、各種センサー(センサー１、センサー２、センサー３、センサー４)にバッテリー等の内蔵電源を搭載し、センサー情報、センサー情報の転送指示の送受信動作の無線化を可能にする。
【００３４】
（実施形態の動作例の説明）
次に、図１のエレベータ用センサー情報通報システムの動作の一例として、各種センサー(センサー１、センサー２、センサー３、センサー４)のセンサー情報を通報装置１１を経由して保守センター１２へ転送する場合について説明する。まず、エレベータ昇降路２２内に設置されたセンサー１がＯＮ／ＯＦＦのみを検出する接点センサーであった場合について説明する。
【００３５】
センサー１の接点センサーがＯＮした場合、接点センサーに内蔵されているスピーカーからＤＴＭＦ信号“１”の周波数音をあらかじめ定めた一定時間ａ秒(例えば１秒間)出力し、エレベータかご２１内に設置されたインターホン１５のマイクへ入力する。インターホン１５は、マイクに入力されたａ秒継続するＤＴＭＦ信号“１”を、有線回線３５を経由して、通報装置１１へ転送する。
【００３６】
通報装置１１には、各種センサーそれぞれからセンサー情報として出力されるすべてのＤＴＭＦ信号の周波数音と継続時間とが、センサー情報登録データとしてあらかじめ設定登録されている。したがって、通報装置１１は、インターホン１５から転送されてきたａ秒継続するＤＴＭＦ信号“１”というセンサー１のセンサー情報がセンサー情報登録データにあらかじめ登録されているので、センサー情報登録データと入力されてきたａ秒継続するＤＴＭＦ信号“１”とを照合することによって、センサー１がＯＮしたことを判別する。通報装置１１は、判別結果であるセンサー１がＯＮしたという情報を、公衆網１３を介して保守センター１２へ送信する。
【００３７】
次に、エレベータかご２１内に設置されたセンサー２についても、ＯＮ／ＯＦＦのみを検出する接点センサーであった場合について説明する。
【００３８】
センサー２の接点センサーがＯＮした場合、接点センサーに内蔵されているスピーカーからＤＴＭＦ信号“２”の周波数音をあらかじめ定めた一定時間ｂ秒(例えば１秒間)出力し、エレベータかご２１内に設置されたインターホン１５のマイクへ入力する。インターホン１５は、マイクに入力されたｂ秒継続するＤＴＭＦ信号“２”を、有線回線３５を経由して、通報装置１１へ転送する。
【００３９】
通報装置１１には、前述のように、各種センサーそれぞれからセンサー情報として出力されるすべてのＤＴＭＦ信号の周波数音と継続時間とが、センサー情報登録データとしてあらかじめ設定登録されている。したがって、通報装置１１は、インターホン１５から転送されてきたｂ秒継続するＤＴＭＦ信号“２”というセンサー２のセンサー情報がセンサー情報登録データにあらかじめ登録されているので、センサー情報登録データと入力されてきたｂ秒継続するＤＴＭＦ信号“２”とを照合することによって、センサー２がＯＮしたことを判別する。通報装置１１は、判別結果であるセンサー２がＯＮしたという情報を、公衆網１３を介して保守センター１２へ送信する。
【００４０】
次に、エレベータかご２１内に設置されたセンサー３が、エレベータかご２１内の温度を計測する温度センサーであった場合について説明する。
【００４１】
保守センター１２の保守員がエレベータかご２１内の温度を知りたい場合、保守センター１２から温度の計測結果の転送を指示する指令信号を、公衆網１３を介して、通報装置１１に対して発信する。通報装置１１が、保守センター１２からの該指令信号を受信すると、通報装置１１は、受信した該指令信号を処理し、有線回線３５を経由して、エレベータかご２１内のインターホン１５のスピーカーからＤＴＭＦ信号“３”の周波数音を一定時間ｃ秒(例えば１秒間)出力させる。
【００４２】
インターホン１５のスピーカーから出力されたｃ秒継続するＤＴＭＦ信号“３”は、エレベータかご２１内に温度計測用のセンサーとして設置されたセンサー３のマイクへ入力される。温度計測用のセンサー３に内蔵されている処理部には、マイクに指示信号として入力されてくる当該センサー３向けのすべてのＤＴＭＦ信号の周波数音と継続時間とが、指示信号登録データとしてあらかじめ設定登録されている。したがって、センサー３は、マイクに入力されてきたｃ秒継続するＤＴＭＦ信号“３”というセンサー３向けの指示信号が指示信号登録データにあらかじめ登録されているので、指示信号登録データと入力されてきたｃ秒継続するＤＴＭＦ信号“３”とを照合することによって、エレベータかご２１内の温度の返送指示が受信されたことを判別する。
【００４３】
センサー３の温度センサーは、エレベータかご２１内の温度を計測し、計測した温度通知用信号として、例えば２０℃であった場合には、ＤＴＭＦ信号“３２０”、２５℃であった場合には、ＤＴＭＦ信号“３２５”というように、温度に比例した周波数音のＤＴＭＦ信号を内蔵されたスピーカーから一定時間ｄ秒の間の断続音として(例えば１桁目の数字を１秒間ＯＮし、１秒間ＯＦＦした後、２桁目の数字を１秒間ＯＮし、１秒間ＯＦＦした後、３桁目の数字を１秒間ＯＮして)出力する。ここに、前述の温度通知用信号となるＤＴＭＦ信号の３桁の数字列のうち、１桁目の数字は、温度センサーのセンサー情報であることを示す“３”であり、２桁目、３桁目の数字は、計測した温度を示す。
【００４４】
センサー３のマイクから出力された例えばｄ秒の間断続するＤＴＭＦ信号“３２０”は、エレベータかご２１内に設置されたインターホン１５のマイクへ入力される。インターホン１５は、マイクに入力されたｄ秒の間断続するＤＴＭＦ信号“３２０”を、有線回線３５を経由して、通報装置１１へ転送する。
【００４５】
通報装置１１は、インターホン１５から転送されてきたｄ秒の間断続するＤＴＭＦ信号“３２０”というセンサー３の温度計測用センサー情報（１桁目が“３”の場合、２桁目、３桁目の数字が計測温度を示しているという情報）がセンサー情報登録データにあらかじめ登録されているので、センサー情報登録データと入力されてきたｄ秒の間断続するＤＴＭＦ信号“３２０”とを照合することによって、エレベータかご２１内の温度が２０℃であったことを判別する。通報装置１１は、判別結果であるエレベータかご２１内の温度２０℃という情報を、公衆網１３を介して保守センター１２へ送信する。
【００４６】
次に、エレベータ用モーター制御部１４内に設置されたセンサー４が、エレベータ用モーターの回転速度を計測するアナログ値入力センサーであった場合について説明する。
【００４７】
保守センター１２の保守員がエレベータ用モーターの回転速度を知りたい場合、保守センター１２からエレベータ用モーターの回転速度の計測結果の転送を指示する指令信号を、公衆網１３を介して、通報装置１１に対して発信する。通報装置１１が、保守センター１２からの該指令信号を受信すると、通報装置１１は、受信した該指令信号を処理し、有線回線３５を経由して、エレベータかご２１内のインターホン１５のスピーカーからＤＴＭＦ信号“４”の周波数音を一定時間ｅ秒(例えば１秒間)出力させる。
【００４８】
インターホン１５のスピーカーから出力されたｅ秒継続するＤＴＭＦ信号“４”は、エレベータ用モーター制御部１４内にエレベータ用モーターの回転速度計測用のセンサーとして設置されたセンサー４のマイクへ入力される。エレベータ用モーターの回転速度計測用のセンサー４に内蔵されている処理部には、マイクに指示信号として入力されてくる当該センサー４向けのすべてのＤＴＭＦ信号の周波数音と継続時間とが、指示信号登録データとしてあらかじめ設定登録されている。したがって、センサー４は、マイクに入力されてきたｅ秒継続するＤＴＭＦ信号“４”というセンサー４向けの指示信号が指示信号登録データにあらかじめ登録されているので、指示信号登録データと入力されてきたｅ秒継続するＤＴＭＦ信号“４”とを照合することによって、エレベータ用モーターの回転速度の返送指示が受信されたことを判別する。
【００４９】
エレベータ用モーター制御部１４からはエレベータ用モーターの回転速度に準じた電圧が出力されているので、センサー４のアナログ入力値センサーは、エレベータ用モーター制御部１４から出力されている出力電圧を計測し、計測したモーター回転速度通知用信号として、例えば出力電圧が３Ｖであった場合には、ＤＴＭＦ信号“４３”、また、５Ｖであった場合には、ＤＴＭＦ信号“４５”というように、計測した出力電圧に比例した周波数音のＤＴＭＦ信号を内蔵されたスピーカーから一定時間ｆ秒の間の断続音として(例えば１桁目の数字を１秒間ＯＮし、１秒間ＯＦＦした後、２桁目の数字を１秒間ＯＮして)出力する。ここに、前述のモーター回転速度通知用信号となるＤＴＭＦ信号の２桁の数字列のうち、１桁目の数字は、モーター回転速度計測用のアナログ入力値センサーのセンサー情報であることを示す“４”であり、２桁目の数字は、モーター回転速度に準じる電圧として計測したエレベータ用モーター制御部１４の出力電圧を示す。
【００５０】
センサー４のマイクから出力された例えばｆ秒の間断続するＤＴＭＦ信号“４３”は、エレベータかご２１内に設置されたインターホン１５のマイクへ入力される。インターホン１５は、マイクに入力されたｆ秒の間断続するＤＴＭＦ信号“４３”を、有線回線３５を経由して、通報装置１１へ転送する。
【００５１】
通報装置１１は、インターホン１５から転送されてきたｆ秒の間断続するＤＴＭＦ信号“４３”というセンサー４のモーター回転速度計測用センサー情報（１桁目が“４”の場合、２桁目の数字がエレベータ用モーター制御部１４の出力電圧を示しているという情報）がセンサー情報登録データにあらかじめ登録されているので、センサー情報登録データと入力されてきたｆ秒の間断続するＤＴＭＦ信号“４３”とを照合することによって、センサー４のセンサー情報としてエレベータ用モーター制御部１４の出力電圧３Ｖであったことを判別し、出力電圧３Ｖに相当するモーター回転速度に変換する処理を行う。しかる後、通報装置１１は、出力電圧３Ｖから変換されたエレベータ用モーターの回転速度を、公衆網１３を介して保守センター１２へ送信する。
【００５２】
（通報装置の構成例）
次に、図１に示す通報装置１１の内部構成の一例について、図２を用いて説明する。図２は、図１に示す通報装置１１の内部構成の一例を示すブロック構成図である。図２に示すように、通報装置１１は、制御部１１ａ、メモリ１１ｂ、クロックＩＣ１１ｃ、ＵＳＢインターフェース部１１ｄ、イーサネットインターフェース部１１ｅ、ＲＳ−２３２Ｃインターフェース部１１ｆ、ＲＳ−４８５インターフェース部１１ｇ、ＰＨＳモジュール１１ｈ、モデム部１１ｉ、ＰＢトランシーバ部１１ｊ、レベル検出部１１ｋ、ハンズフリーＩＣ１１ｌ、スピーカーアンプ１１ｍ、呼出ボタン検出部１１ｎの各回路部から構成されている。
【００５３】
制御部１１ａは、通報装置１１全体の制御を司り、各種信号の処理を行うＣＰＵやＧＡ(ゲートアレイ)等から構成される。メモリ１１ｂには、通報装置１１の基本動作を実行する制御プログラムや端末ＩＤ、自局電話番号、各種センサーからのＤＴＭＦ信号の周波数音を登録するシステムデータつまりセンサー情報登録データ等が記憶されている。クロックＩＣ１１ｃは、各回路部への制御用クロック信号を生成したり、時計情報を計時したりする部位である。
【００５４】
また、ＵＳＢインターフェース部１１ｄは、ＵＳＢコントローラＩＣ等を含み、ＵＳＢ端末との接続用のインターフェースである。イーサネットインターフェース部１１ｅは、イーサネットコントローラＩＣ等を含み、イーサーネットＬＡＮ構成用のインターフェースである。ＲＳ−２３２Ｃインターフェース部１１ｆは、ＲＳ−２３２ＣドライバＩＣ等を含み、１対１接続型のシリアル伝送用インターフェースである。ＲＳ−４８５インターフェース部１１ｇは、ＲＳ−４８５ドライバＩＣ等を含み、マルチポイント接続型のシリアル伝送用インターフェースである。
【００５５】
ＰＨＳ（Personal  Handyphone  System）モジュール１１ｈは、公衆網１３がＰＨＳ網の場合に使用され、無線信号によってＰＩＡＦＳ（Personal  Handyphone  System  Internet  Access  Forum  Standard）規格等に準拠したデータ通信または通話を可能としたモジュールであり、制御部１１ａとはシリアル伝送を行い、ＡＴコマンドにて制御される。
【００５６】
モデム部１１ｉは、公衆網１３がアナログ網の場合に使用され、アナログ網を介してデータ通信を行うための変復調回路であり、制御部１１ａとはシリアル伝送を行い、ＡＴコマンドにて制御される。ＰＢトランシーバ部１１ｊは、ＤＴＭＦ信号つまり周波数信号、コールプログレストーンを送受信するための回路である。レベル検出部１１ｋとは、ＰＢトランシーバ部１１ｊやハンズフリーＩＣ１１ｌに入力された音声信号レベルがあらかじめ定めた基準値以上であった場合をＨｉｇｈ、基準値よりも低い場合をＬｏｗとして、制御部１１ａへ出力する回路である。
【００５７】
ハンズフリーＩＣ１１ｌは、ハンズフリー通話を可能とするためのＩＣであり、送受信データのゲインコントロール、エコーキャンセラ、ノイズキャンセラ等の機能を有している。スピーカーアンプ１１ｍは、エレベータかご２１に設置したインターホン１５のスピーカーへ出力するＤＴＭＦ信号つまり周波数信号や音声信号を増幅する回路である。呼出ボタン検出部１１ｎは、エレベータかご２１に設置した呼出ボタン１６のＯＮ／ＯＦＦを検出する回路である。
【００５８】
なお、前述したように、場合によっては、通報装置１１に、各種センサー（センサー１，センサー２，センサー３，センサー４）との間で、直接、ＤＴＭＦ音を送受信するためのスピーカー、マイクをさらに備えるように構成することも可能である。
【００５９】
（センサーの構成例）
次に、図１に示すセンサー１の内部構成の一例について、図３を用いて説明する。図３は、図１に示すセンサー１の内部構成の一例を示すブロック構成図であり、センサー部１ｅの内部構成以外は、他の各種センサー（センサー２、センサー３、センサー４）も全く同様の構成である。図３に示すように、センサー１は、制御部１ａ、メモリ１ｂ、クロックＩＣ１ｃ、ＲＳ−２３２Ｃインターフェース部１ｄ、センサー部１ｅ、ＰＢトランシーバ部１ｆ、スピーカーアンプ１ｇ、スピーカー１ｈ、マイク１ｉの各回路部およびバッテリー１ｊから構成されている。
【００６０】
制御部１ａは、センサー１全体の制御を司り、各種信号の処理を行うＣＰＵやＧＡ(ゲートアレイ)等から構成される。メモリ１ｂには、センサー１の基本動作を実行する制御プログラムやセンサーＩＤ、通報装置１１からインターホン１５を介して入力されてくるＤＴＭＦ信号の周波数音を登録するシステムデータつまり指示信号登録データ等が記憶されている。クロックＩＣ１ｃは、各回路部への制御用クロック信号を生成したり、時計情報を計時したりする部位である。
【００６１】
ＲＳ−２３２Ｃインターフェース部１ｄは、ＲＳ−２３２ＣドライバＩＣ等を含み、１対１接続型のシリアル伝送用インターフェースである。センサー部１ｅは、接点センサーであるセンサー１の場合、監視対象のＯＮ／ＯＦＦを検出する部位である。
【００６２】
ＰＢトランシーバ部１ｆは、ＤＴＭＦ信号つまり周波数信号、コールプログレストーンを送受信するための回路である。スピーカーアンプ１ｇは、内蔵しているスピーカー１ｈへ出力するＤＴＭＦ信号つまり周波数信号や音声信号を増幅する回路である。マイク１ｉは、インターホン１５からのＤＴＭＦ信号を入力する部位である。また、バッテリー１ｊは、スピーカー１ｈ、マイク１ｉを駆動して、ＤＴＭＦ信号の周波数音を送受信する動作を可能とする内蔵電源である。
【００６３】
（通報装置、センサーの内部の動作例）
次に、図２に示す通報装置１１および図３に示すセンサー１の内部の各回路部の動作についてその一例を説明する。
【００６４】
通報装置１１は、通常運用時、各種センサーによるエレベータかご２１内およびエレベータ昇降路２２の状態監視等を行い、異常が検出されると、保守センター１２へ公衆網１３を介してデータ通報を行う。
【００６５】
また、エレベータかご２１内の呼出ボタン１６が押下されると、呼出ボタン検出部１１ｎがＯＮして、通報装置１１は、端末ＩＤ、かご番号、エレベータ番号等を、呼出ボタン押下信号として、公衆網１３を介して保守センター１２へ送信する。端末ＩＤ、かご番号、エレベータ番号等を含む呼出ボタン押下信号を受信すると、保守センター１２は、通報装置１１に対して受信完了信号を送信し、受信完了信号を受信した通報装置１１は、エレベータかご２１内のインターホン１５を、通報装置１１、公衆網１３を経由して、保守センター１２へ接続する音声パスを構築する。音声パスが開通すると、エレベータかご２１内の搭乗者と保守センター１２の保守員との間の会話が可能となる。
【００６６】
図２の通報装置１１においては、保守センター１２からのセンサー情報要求指令信号(例：１ないし数桁のＤＴＭＦ信号)を、ＰＨＳ網またはアナログ網等の公衆網１３を介して、通報装置１１のＰＨＳモジュール１１ｈまたはモデム部１１ｉにて受信すると、ＣＰＵ等の制御部１１ａのＩ／Ｏポートにて、ＰＢトランシーバ部１１ｊを制御し、各種センサー向けのＤＴＭＦ信号を生成して出力する。生成されたＤＴＭＦ信号は、ハンズフリーＩＣ１１ｌにて、ゲイン調整され、スピーカーアンプ１１ｍを介して、有線回線３５から、エレベータかご２１内のインターホン１５に転送され、インターホン１５のスピーカーからＤＴＭＦ信号が送出される。
【００６７】
図３に示すセンサー１のマイク１ｉに入力されたＤＴＭＦ信号はＰＢトランシーバ部１ｆにてＤＴＭＦ信号と判断し、ＣＰＵ等の制御部１ａとの間のＩ／Ｏポートを制御する。ＣＰＵ等の制御部１ａはメモリ１ｂ内のＤＴＭＦ登録情報つまり指示信号登録データを参照して、受信した指示信号を判別し、該指示信号に該当するセンサー情報をセンサー部１ｅにて取得する。ＣＰＵ等の制御部１ａは、取得したセンサー情報に対応するＤＴＭＦ信号を生成するように、ＰＢトランシーバ部１ｆを制御し、スピーカーアンプ１ｇを経由してスピーカー１ｈからＤＴＭＦ信号を送出する。
【００６８】
エレベータかご２１内のインターホン１５のマイクにセンサー１から入力されたＤＴＭＦ信号は、有線回線３５を介して、通報装置１１のＰＢトランシーバ部１１ｊに転送されて、ＰＢトランシーバ部１１ｊにてＣＰＵ等の制御部１１ａとのＩ／Ｏポートを制御するように処理される。
【００６９】
ＣＰＵ等の制御部１１ａは、ＰＢトランシーバ部１１ｊからのＤＴＭＦ信号を解析し、解析結果を、ＰＨＳモジュール１１ｈまたはモデム部１１ｉから公衆網１３を介して、保守センター１２へ送信する。解析結果を受け取った保守センター１２から受信終了信号(例えば、数桁のＤＴＭＦ信号)が返送されてくると、通報装置１１は、通常の運用状態に復帰する。
【００７０】
以上、図２、図３の動作例について詳細に説明したがＵＳＢインターフェース部１１ｄ、イーサネットインターフェース部１１ｅ、ＲＳ−２３２Ｃインターフェース部１１ｆ、ＲＳ−４８５インターフェース部１１ｇは、本発明と直接的には関係がない回路部であり、かつ、当業者に良く知られた回路部であるので、ここでの詳細な説明は割愛する。
【００７１】
なお、以上の説明においては、各種センサー(センサー１、センサー２、センサー３、センサー４)と通報装置１１との間の情報の送受信をＤＴＭＦ信号としているが、ＤＴＭＦ信号の代わりに、その他の可聴周波数または非可聴周波数などを用いても良い。
【００７２】
また、各種センサー(センサー１、センサー２、センサー３、センサー４)と通報装置１１との間の情報の送受信において、ＤＴＭＦ信号をあらかじめ定めた一定時間連続的に出力する連続音のみならず、温度センサーのセンサー３やモーター回転速度計測用センサーのセンサー４の場合のように、一定時間の間に亘って断続する断続音として出力する場合も混用しているが、場合によっては、いずれの場合においても、一定時間連続的に出力する連続音としても良い。例えば、モーター回転速度計測用センサーであるセンサー４のセンサー情報（エレベータ用モーター制御部１４の出力電圧計測結果）の送出については、出力電圧が３Ｖであれば、前述のＤＴＭＦ信号“４３”の代わりに、ＤＴＭＦ信号“４”を３秒ＯＮした後、１秒ＯＦＦとし、出力電圧が５Ｖであれば、前述のＤＴＭＦ信号“４５”の代わりに、ＤＴＭＦ信号“４”を５秒ＯＮした後、１秒ＯＦＦとするように、出力電圧に比例した継続時間の間連続して出力するようにしても良い。
【００７３】
また、各種センサー(センサー１、センサー２、センサー３、センサー４)と４個のセンサーについて説明したが、任意の個数（ｎ個：正整数）のセンサーとしても良い。また、センサーは、接点用、アナログ値入力用だけでなく、煙探知機、重量センサー等であっても良い。
【００７４】
（実施形態の効果の説明）
以上、詳細に説明したように、本実施形態においては、以下に記載するような効果を奏することができる。
【００７５】
第１の効果は、各種センサーからのセンサー情報、各種センサーへの指示信号を無線化することによって、センサー設置箇所の制限を大幅に削減することができることである。
【００７６】
第２の効果は、保守作業員のセンサーの設置・配線作業が不要になることによって、エレベータ昇降路２２内における保守作業員の転落事故を低減することができることである。
【００７７】
第３の効果は、各種センサーからのセンサー情報、各種センサーへの指示信号を無線化することによって、センサーの設置・配線作業に掛かる保守作業員の作業時間を大幅に短縮することができることである。
【００７８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記通報装置は、前記センサーのセンサー情報の転送指示を前記センサーへ指示する際に、該転送指示に対応するＤＴＭＦ信号の周波数音を生成して、当該通報装置に有線回線で接続した前記インターホンのスピーカーから出力し、前記センサーは、ＤＴＭＦ信号の周波数音を入力するマイクを備え、前記インターホンからのＤＴＭＦ信号の周波数音を受信して、受信したＤＴＭＦ信号の周波数音に対応する転送指示に基づいてセンサー情報を検出して、検出したセンサー情報に対応するＤＴＭＦ信号の周波数音を生成して、前記スピーカーから出力する上記（１）のセンサー情報通報システム。
（３）監視対象の状態を検出するセンサーからのセンサー情報を受け取って、処理した結果を外部装置に対して通報する通報装置を備えたセンサー情報通報システムにおいて、前記センサーにＤＴＭＦ（Dual  Tone  Multi  Frequency）信号の周波数音を出力するスピーカーを備え、前記センサーのセンサー情報を前記スピーカーからのＤＴＭＦ信号の周波数音として出力し、前記通報装置は、当該通報装置にＤＴＭＦ信号の周波数音を入力するマイクを備え、該マイクによって前記センサーからのＤＴＭＦ信号の周波数音を受け取って、受け取ったＤＴＭＦ信号の周波数音に対応するセンサー情報を処理した結果を前記外部装置に対して送信するセンサー情報通報システム。
（４）前記通報装置は、当該通報装置にＤＴＭＦ信号の周波数音を出力するスピーカーを備え、前記センサーのセンサー情報の転送指示を前記センサーへ指示する際に、該転送指示に対応するＤＴＭＦ信号の周波数音を生成して、当該通報装置に備えた前記スピーカーから出力し、前記センサーは、ＤＴＭＦ信号の周波数音を入力するマイクを備え、前記通報装置からのＤＴＭＦ信号の周波数音を受信して、受信したＤＴＭＦ信号の周波数音に対応する転送指示に基づいてセンサー情報を検出して、検出したセンサー情報に対応するＤＴＭＦ信号の周波数音を生成して、前記スピーカーから出力する上記（３）のセンサー情報通報システム。
（５）前記センサーは、当該センサーに備えた前記マイクおよび／またはスピーカーを駆動して、ＤＴＭＦ信号の周波数音を入出力させるための内部電源をさらに備えている上記（１）ないし（４）のいずれかのセンサー情報通報システム。
（６）前記センサーと前記通報装置または前記通報装置に有線回線で接続した前記インターホンとの間で送受信するＤＴＭＦ信号の周波数音として、あらかじめ定めた一定時間連続する連続音、および／または、あらかじめ定めた一定時間の間において断続する断続音とする上記（１）ないし（５）のいずれかのセンサー情報通報システム。
（７）前記センサーと前記通報装置または前記通報装置に有線回線で接続した前記インターホンとの間で送受信する情報を、ＤＴＭＦ信号の周波数音の代わりに、あらかじめ定めた周波数帯の無線信号の周波数音を用いる上記（１）ないし（６）のいずれかのセンサー情報通報システム。
（８）上記（１）ないし（７）のいずれかのセンサー情報通報システムを、エレベータの運用状態を監視する監視システムとして実施するエレベータ用センサー情報通報システム。
（９）監視対象の状態を検出するセンサーからのセンサー情報を通報装置により受け取って、処理した結果を外部装置に対して通報するセンサー情報通報方法において、前記センサーから、当該センサーが検出したセンサー情報に対応するＤＴＭＦ信号の周波数音を生成して無線化情報として出力し、前記センサーからのＤＴＭＦ信号の周波数音を受信した前記通報装置は、受け取ったＤＴＭＦ信号の周波数音に対応するセンサー情報を処理した結果を前記外部装置に対して送信するセンサー情報通報方法。
（１０）前記通報装置は、前記センサーのセンサー情報の転送指示を前記センサーへ指示する際に、該転送指示に対応するＤＴＭＦ信号の周波数音を生成して無線化情報として出力し、前記センサーは、前記通報装置からのＤＴＭＦ信号の周波数音を受信して、受信したＤＴＭＦ信号の周波数音に対応する転送指示に基づいてセンサー情報を検出して、検出したセンサー情報に対応するＤＴＭＦ信号の周波数音を生成して無線化情報として出力する上記（９）のセンサー情報通報方法。
【図面の簡単な説明】
【００７９】
【図１】本発明によるセンサー情報通報システムのシステム構成の一例を示すシステム構成図である。
【図２】図１に示す通報装置の内部構成の一例を示すブロック構成図である。
【図３】図１に示すセンサーの内部構成の一例を示すブロック構成図である。
【図４】従来のエレベータ用センサー情報通報システムのシステム構成を示すシステム構成図である。
【符号の説明】
【００８０】
１      センサー
１ａ    制御部
１ｂ    メモリ
１ｃ    クロックＩＣ
１ｄ    ＲＳ−２３２Ｃインターフェース部
１ｅ    センサー部
１ｆ    ＰＢトランシーバ部
１ｇ    スピーカーアンプ
１ｈ    スピーカー
１ｉ    マイク
１ｊ    バッテリー
２      センサー
３      センサー
４      センサー
１Ａ    センサー
２Ａ    センサー
３Ａ    センサー
４Ａ    センサー
１１    通報装置
１１Ａ  通報装置
１１ａ  制御部
１１ｂ  メモリ
１１ｃ  クロックＩＣ
１１ｄ  ＵＳＢインターフェース部
１１ｅ  イーサネットインターフェース部
１１ｆ  ＲＳ−２３２Ｃインターフェース部
１１ｇ  ＲＳ−４８５インターフェース部
１１ｈ  ＰＨＳモジュール
１１ｉ  モデム部
１１ｊ  ＰＢトランシーバ部
１１ｋ  レベル検出部
１１ｌ  ハンズフリーＩＣ
１１ｍ  スピーカーアンプ
１１ｎ  呼出ボタン検出部
１２    保守センター
１３    公衆網
１４    エレベータ用モーター制御部
１５    インターホン
１６    呼出ボタン
２１    エレベータかご
２２    エレベータ昇降路
３１    有線回線
３２    有線回線
３３    有線回線
３４    有線回線
３５    有線回線
【図１】
0005376620.tif 000002
【図２】
0005376620.tif 000003
【図３】
0005376620.tif 000004
【図４】
0005376620.tif 000005